(57)【要約】【解決手段】遊戯用島に設けられた開口窓部Ｑに着脱自在に装着する台装着枠体１を形成する。該台装着枠体１の内側部に装着した遊戯台Ｐの上端縁Ｐ１と下端縁Ｐ２とを挟着固定する固定手段を台装着枠体１に設ける。固定手段として、台装着枠体１の内部に位置決めされた遊戯台Ｐの高さ方向にスライドする高さ調整装置１０と、遊戯台Ｐの横幅の長さに適応して台装着枠体１の開口幅を調整する横幅調整装置２０とを設ける。【効果】サイズが異なる遊戯台でも容易に対応して装着することができる。遊戯台の固定作業が極めて容易に行える。【選択図】  図１
2004329285.tif 000002
【特許請求の範囲】
【請求項１】
遊戯用島に設けられた遊戯台を装着する開口窓部に着脱自在に装着する台装着枠体を形成し、該台装着枠体の内側部に装着した遊戯台の上端縁と下端縁とを挟着固定する固定手段を台装着枠体に設けた遊戯台用取付装置において、固定手段に、台装着枠体の内部に装着された遊戯台の高さに合わせて上下方向にスライドする高さ調整装置と、遊戯台の横幅の長さに適応して台装着枠体の開口幅を調整する横幅調整装置とを設けたことを特徴とする遊戯台用取付装置。
【請求項２】
前記高さ調整装置は、前記台装着枠体の下枠部に配置された固定台と、該固定台から上下動自在に設けられた高さ調整枠とからなり、前記横幅調整装置は、前記高さ調整装置の調整枠を略垂直方向に貫通する調整軸と、該調整軸に設けられ調整軸の軸回転に伴ない前記台装着枠体の開口幅を規制する横幅調整枠とからなり、前記高さ調整装置の上下動に伴なって横幅調整装置の調整軸が回転するように設けた請求項１記載の遊戯台用取付装置。
【請求項３】
前記固定手段は、前記台装着枠体の上枠部に設けられ、該上枠部から遊戯台側に突出して遊戯台を上方から圧着する上部固定手段と、前記台装着枠体の下枠部に設けられ、載置した遊戯台の下端部を固定する下部固定手段と、これら上部固定装置と係止装置とを連動する連動手段とを設けた請求項１記載の遊戯台用取付装置。
【発明の詳細な説明】
【０００１】
【発明の属する技術分野】
本発明は、遊戯場にパチンコ台等の遊戯台を装着する遊戯台用取付装置に係るもので、特に、サイズが異なる遊戯台でも容易に装着して遊戯台の微調整を可能にする遊戯台用取付装置に関する。
【０００２】
【従来の技術】
当発明者は、パチンコ台の装着作業や取付け後のパチンコ台の微調整を容易ならしめるパチンコ台取付装置を先に発明している（特許文献１）。この発明では、パチンコ台の装着作業及び取り外し作業が極めて容易になり、しかも、取付後のパチンコ台の盤面を調整する際に、熟練した技術を要せずとも合理的で効果的な調整ができるようにしている。すなわち、パチンコ台の上端縁と下端縁とを挟着固定する固定装置を設けたパチンコ台取付装置において、固定装置を、台装着枠体の上端部に設けたクランプ体に連結する。そして、クランプレバーの操作によって上下し、台装着枠体の上端部からパチンコ台側に突出してパチンコ台を圧着する圧着突起を設けた圧着固定装置を装着し、台装着枠体の内部に位置決めされたパチンコ台を、この圧着固定装置によって、台装着枠体と一体になるように圧着固定するものである。
【０００３】
一方、遊戯場に設置される遊戯台、特にパチンコ台は、東日本と西日本とによってサイズが異なることが知られている。すなわち、主に関東を中心とした東日本で使用されるパチンコ台（以下、関東枠と称する）は、関西を中心とした西日本で使用されるパチンコ台（以下、関西枠と称する）よりもサイズが一回り小さいものが使用されている。
【０００４】
【特許文献１】
特許第３２７５１６２号公報
【０００５】
【発明が解決しようとする課題】
特許文献１の先の発明により、パチンコ台の装着作業や取付け後のパチンコ台の微調整が極めて容易に行えるようになっているが、東西の機種に対応できるものではなかった。すなわち、前述の如く、関東枠と関西枠とではパチンコ台のサイズが異なっているので、これら両者のサイズに適応させるには、特許文献１のパチンコ台取付装置もサイズ別に二種類用意する必要があった。
【０００６】
しかも、関東と関西とでサイズが異なっているので、パチンコ台の流通エリアが限定される不都合があり、合理的な販路の妨げにもなっていた。すなわち、各店舗では、パチンコ台を設置する際に、通称島と称する構造物に複数の台を併設する。この場合、パチンコ台を常に新しい台に交換できるように、島ごとに複数の取付け用枠体を形成している。この枠体を関東枠に合わせて形成した場合は、交換する台も関東枠に限定されることになる。この結果、関東枠から関西枠、あるいはその逆の変更を行おうとすると、取付け用の枠体ごと変更することになり、島の構成までも変更しなければならないといった大掛かりな作業が伴なうので、各店舗が合理的に選択できる機種は、関東枠と関西枠とのいずれかに限定されているのが現実であった。
【０００７】
そこで、本発明は上述の課題を解消すべく創出されたもので、関東枠と関西枠との違いのように、サイズが異なる遊戯台でも容易に対応して装着することができ、しかも、遊戯台の固定作業が極めて容易に行える遊戯台用取付装置の提供を目的とするものである。
【０００８】
【課題を解決するための手段】
上述の目的を達成すべく本発明の第１の手段は、遊戯用の島に設けられた開口窓部Ｑに着脱自在に装着する台装着枠体１を形成し、該台装着枠体１の内側部に装着した遊戯台Ｐの上端縁Ｐ１と下端縁Ｐ２とを挟着固定する固定手段を台装着枠体１に設けた遊戯台用取付装置において、固定手段に、台装着枠体１の内部に装着された遊戯台Ｐの高さに合わせて上下方向にスライドする高さ調整装置１０と、遊戯台Ｐの横幅の長さに適応して台装着枠体１の開口幅を調整する横幅調整装置２０とを設けたことにある。
【０００９】
第２の手段における高さ調整装置１０は、前記台装着枠体１の下枠部２に配置された固定台１１と、該固定台１１から上下動自在に設けられた高さ調整枠１２とからなり、前記横幅調整装置２０は、前記高さ調整装置１０の調整枠１２を略垂直方向に貫通する調整軸２１と、該調整軸２１に設けられ調整軸２１の軸回転に伴ない前記台装着枠体１の開口幅を規制する横幅調整枠２２とからなり、前記高さ調整装置１０の上下動に伴なって横幅調整装置２０の調整軸２１が回転するように設ける。
【００１０】
第３の手段の固定手段は、前記台装着枠体１の上枠部３に設けられ、該上枠部３から遊戯台Ｐ側に突出して遊戯台Ｐを上方から圧着する上部固定手段と、前記台装着枠体１の下枠部２に設けられ、載置した遊戯台Ｐの下端部を固定する下部固定手段と、これら上部固定装置と係止装置とを連動する連動手段とを設けたことを課題解消のための手段とする。
【００１１】
【発明の実施の形態】
以下、本発明の実施の形態を説明する。本発明の基本構成は、台装着枠体１と該台装着枠体１に装着した固定手段とからなる。
【００１２】
台装着枠体１は、遊戯用島の遊戯台Ｐを装着する開口窓部Ｑに着脱自在に装着する枠体で、内部にパチンコ台等の遊戯台Ｐを装着する（図１参照）。この台装着枠体１は、自身の下端部２を開口窓部Ｑの下部開口縁Ｑ２上に載置する。図示例の台装着枠体１は、関東枠と称するサイズの小さいパチンコ台と関西枠と称するサイズの大きいパチンコ台のいずれにでも対応できる大きさに形成している。
また、パチンコ台に代えて所謂パチスロと称する回胴式遊技機を遊戯台Ｐとして装着することも可能である。
【００１３】
台装着枠体１の下端部を開口窓部Ｑの下部開口縁Ｑ２上に前後傾斜自在に載置する（図２参照）。図示例では、台装着枠体１を載置する開口窓部Ｑの下部開口縁Ｑ２に、ヒンジ突起Ｑ３を突設し、このヒンジ突起Ｑ３上で台装着枠体１を前後傾斜自在に載置している。更に、このヒンジ突起Ｑ３から外れないようにするため、台装着枠体１の下枠部２に、ヒンジ突起Ｑ３に嵌合する嵌合穴２Ａを設けている。
【００１４】
一方、固定手段は、該台装着枠体１の内側部に装着する遊戯台Ｐのサイズに合わせて上下する高さ調整装置１０と、台装着枠体１の開口幅を調整する幅調整装置２０とを有している（図３参照）。
【００１５】
高さ調整装置１０は、台装着枠体１の内部に位置決めされた遊戯台Ｐの高さ方向にスライドする装置で、前記台装着枠体１の下枠部２に装着された固定台１１と、該固定台１１から上下動自在に設けられた高さ調整枠１２とからなる（図３参照）。図示例の高さ調整装置１０は、パチンコ台の関東枠と関西枠との少なくとも２種類の高さに対応するように設けている。すなわち、固定台１１の上部に載置した高さ調整枠１２を上下２段の位置で固定できるようにしている。そして、関東枠を装着する場合は、高さ調整枠１２を上段の位置に固定し、関西枠を装着する場合は、高さ調整枠１２を下段の位置に固定する。図示の高さ調整装置１０は、固定台１１の上面に立設した支持台１３と、高さ調整枠１２の下面に固定したスライド盤１４とを設け、更に該スライド盤１４から支持台１３方向に出没自在に突出する固定突起１５を設けたものである。この固定突起１５は、コイルスプリング１６の付勢力で常に突出付勢され、支持台１３に形成された係止凹部１３Ａに係合しているときに高さ調整枠１２を上段の位置に固定する（図４（イ）参照）。一方、操作レバー１７の操作に連動するカム１８によって（図３参照）、固定突起１５を係止凹部１３Ａから引き抜くと、このスライド盤１４ごと高さ調整枠１２が自重で落下し、下段の位置に固定されるものである（図４（ロ）参照）。高さ調整枠１２が下段に位置する場合、関西枠の高さに適応するように形成している。図示の操作レバー１７は、高さ調整装置１０の側面に設けているが、高さ調整枠１２の下に操作レバー１７を配し、高さ調整枠１２に開穿した孔から棒状の工具等で操作レバー１７を操作することも可能である（図示せず）。
【００１６】
横幅調整装置２０は、遊戯台Ｐの横幅に適応して台装着枠体１の開口幅を調整する装置で、前記高さ調整装置１０の調整枠１２を略垂直方向に貫通する調整軸２１と（図５参照）、該調整軸２１に設けられ調整軸２１の軸回転に伴ない前記台装着枠体１の開口幅を規制する横幅調整枠２２とからなる（図３参照）。そして、高さ調整装置１０の上下動に連動して横幅調整装置２０の調整軸２１が回転するように設けている。図示の横幅調整装置２０は、高さ調整装置１０における高さ調整枠１２の上下動にリンクし、この上下動を軸回転に変換するクランク体２３を設け、このクランク体２３に調整軸２１を連結している（図５参照）。図示のクランク体２３は、高さ調整装置１０に連結する連結軸２３Ａと、この連結軸２３Ａの上下動を水平の揺動運動に変換する揺動クランク２３Ｂとで構成されている。そして、この揺動クランク２３Ｂに調整軸２１を連結することで、調整軸２１が９０°の範囲で軸回転する。更に、調整軸２１には角棒状の調整軸２１を用い、断面長方形状を成した規制枠２２を装着してある（図３参照）。そして、調整軸２１の揺動に伴なって、断面の長手側面と短手側面とが、台装着枠体１の内側に交互に配置されるように構成されている。このように構成することで、横幅調整枠２２の平断面長手側面が台装着枠体１の内側に配されたときに、台装着枠体１の開口部における横幅部分が狭くなり、関東枠を装着するのに好適なサイズになる。一方、横幅調整枠２２の平断面短手側面が台装着枠体１の内側に配されると、台装着枠体１の開口部における横幅部分が広くなり、関西枠を装着するのに好適なサイズになる。このとき、調整軸２１は、上下する高さ調整枠１２にスライド自在に貫通させてある（図５参照）。こうすることで、高さ調整枠１２の上下動に影響されずに調整軸２１を揺動させることができる。
【００１７】
更に、固定手段には、上部固定手段、下部固定手段、連動手段、角度調整手段が組み合されている。すなわち、上部固定手段は遊戯台Ｐ上端縁Ｐ１を固定し、下部固定手段は遊戯台Ｐ下端縁Ｐ２の前後の位置を固定する。また、連動手段は、上部固定手段と下部固定手段とを連動せしめ、角度調整手段は台装着枠体１の上枠部３を前後角度調整自在に支持するものである。次に、各手段を順に詳述する。
【００１８】
上部固定手段は、台装着枠体１の上枠部３から下降して、台装着枠体１の内部に装着した遊戯台Ｐ上端部の前面に係止する係止装置４０と（図７参照）、遊戯台Ｐの上端部の後面に係止する圧着装置３０と（図６参照）を連動させた装置である。これら圧着装置３０と係止装置４０とによって遊戯台Ｐの上端部が台装着枠体１に固定される。図示の圧着装置３０は、後述する連動手段に連動する駆動ボルト３１の回転に伴なって前後移動するスライド体３２を設け、該スライド体３２から左右に延びる一対の連結バー３３と、該連結バー３３の屈曲された端部から鉛直下方に垂設されて遊戯台Ｐ上端部後面に係止する係止突起３４とを設けている（図６参照）。更に、連結バー３３には、後述する係止装置４０の係止体４３を押圧固定するロック用突起３５を設けている。
【００１９】
一方、係止装置４０は、前記スライド体３２の前後移動を左右方向への往復運動に変換するクランク体４１と、該クランク体４１に連動して左右にスライドするスライドバー４２と、スライドバー４２から遊戯台Ｐ方向に突出して遊戯台Ｐの上端部前面に係止する係止体４３とを設けている（図７参照）。図示の係止体４３は、台装着枠体１の上枠部３に止着ピン４３Ａで回転自在に止着された係止片４３Ｂの上端部をスライドバー４２に開穿した開口部４２Ａに挿入し、この上端部が左右いずれかに押圧されて係止片４３Ｂが回転したときに、係止片４３Ｂが遊戯台Ｐ上端部方向に突出する構造を成している（図８参照）。このとき係止体４３の上部は、引張コイルバネ４４で引き寄せられ、係止片４３Ｂの下端部が垂直下方を向くように設定してあり（図７参照）、スライドバー４２の移動で引張コイルバネ４４の付勢力に抗しながら係止片４３Ｂの下端部を略水平に保つようにしている。また、スライドバー４２には、遊戯台Ｐの上端面を押圧するクランク形状の押圧体４５と（図９参照）、左右の係止体４３に架設して係止体４３の移動と共に遊戯台Ｐの上端面を押圧する押圧杆４６とを設けている（図７参照）。この押圧杆４６には、長孔４６Ａを開穿してあり、関東枠と関西枠とに適合するために横方向に１０ｍｍ移動するように形成している。更に、遊戯台Ｐを係止している状態の係止体４３に、前記上部固定装置３０の連結バー３３に設けたロック用突起３５を押圧し、係止体４３の係止状態をロックする。
【００２０】
下部固定手段は、後述する連動手段に連動する駆動ボルト５１の回転に伴なって前後移動するスライド体５２と、該スライド体５２から左右に延びる一対の連結バー５３と、該連結バー５３の屈曲された端部から鉛直上方に垂設されて遊戯台Ｐ下端部後面に係止する係止突起５４とからなる下部固定装置５０を設けている（図２、図３参照）。この下部固定装置５０によって遊戯台Ｐの下端部後面を押圧する。このとき、遊戯台Ｐの下端部前面を係止せしめるために、前記高さ調整装置１０の高さ調整枠１２前面に係止突起１９を設けている（図３参照）。
【００２１】
連動手段は、上部固定手段と下部固定手段とを連動せしめるものである（図２参照）。図示例では、電動ドライバーの回転力を伝達する連動装置６０を設けている。該連動装置６０は、電動ドライバーの先端に連結する駆動軸６１と、該駆動軸６１に連動する垂直軸６２と、該垂直軸６２から前記上部固定装置３０の駆動ボルト３１に連結される連結軸６３と、下部固定装置５０の駆動ボルト５１とに連結される連結軸６４とが夫々べベルギヤ６５にてリンクする。このとき、下部固定装置５０に連動する連結軸６４は、前記高さ調整装置１０の上下動に伴なって上下することになる。その為、垂直軸６２のシャフト６２Ａに角シャフトを使用し、この垂直軸６２の下部に設けたべベルギヤ６５に角シャフトをスライド自在に貫通させ、歯合べベルギヤ６５相互が分離しないように連結枠６６にて確保している（図３参照）。こうすることで、高さ調整装置１０に伴なって下部固定装置５０が上下動しても遊戯台Ｐの下端部を固定することができる。また、垂直軸６２の一部にトルクリミッター６７を配してあり、過剰な負荷が掛からないようにしている（図２参照）。
【００２２】
角度調整手段は台装着枠体１上枠部３を前後角度調整自在に支持する（図１０参照）。図示例では、台装着枠体１の上部と遊戯用島の開口窓部Ｑとを連結する角度調整装置７０を設けている。この角度調整装置７０では、台装着枠体１の上端部２に支持脚７１を立設し、この支持脚７１に一対の角度調整クランク７２を設け、各端部を開口窓部Ｑの上部に固定している。そして、この角度調整クランク７２の間に調整ボルト７３を設け、この調整ボルト７３の操作で台装着枠体１の上端部２を前後に角度調整自在に支持している。このとき、角度調整クランク７２の軸止部分７２Ａは、上下に重なる部材が面状に接するべく、断面略皿形状に凹ませてある（図１１参照）。このように形成することで、傾斜角度を調整した台装着枠体１のガタ付きを防止し、安定した状態で維持することができる。
【００２３】
更に、角度調整装置７０で調整した台装着枠体１の角度を計測するために、台装着枠体１の上枠部３に角度計測器４を設けている（図１０参照）。この角度計測器４は、上端部２に立設した針４Ａと、開口窓部Ｑの近傍に固定した目盛４Ｂと、針４Ａの位置を確認するミラー４Ｃとからなり、針４Ａが示す目盛４Ｂの位置を上枠部３に設けたウィンドー４Ｄから覗けるように設けている。
【００２４】
【発明の効果】
本発明は、上述の如く構成したことにより、当初の目的を達成する。
【００２５】
すなわち、台装着枠体１の内部に装着された遊戯台Ｐの高さに合わせて上下方向にスライドする高さ調整装置１０と、遊戯台Ｐの横幅の長さに適応して台装着枠体１の開口幅を調整する横幅調整装置２０とを設けたことにより、サイズが異なる遊戯台でも容易に対応して装着することができる。この結果、従来の如く、関東枠から関西枠、あるいはその逆の変更を行おうとする場合でも、取付け用の枠体ごと変更する必要はなくなり、各店舗が日本全国の遊戯台Ｐから合理的に機種を選択できるようになった。
【００２６】
また、圧着固定装置５０と下部固定装置４０とを連動する連動装置６０を設けたことにより、遊戯台Ｐの固定作業が極めて容易に行えるものである。
【００２７】
このように本発明によると、サイズが異なる遊戯台でも容易に対応して装着することができ、しかも、遊戯台Ｐの固定作業が極めて容易に行えるなどといった有益な種々の効果を奏するものである。
【図面の簡単な説明】
【図１】本発明の装着状態を示す要部斜視図。
【図２】本発明の台装着枠体と固定手段との一実施例を示す要部概略斜視図。
【図３】本発明の高さ調整手段の一実施例を示す要部拡大斜視図。
【図４】本発明の固定突起を示す要部側面図。
【図５】本発明の横幅調整装置を示す要部斜視図。
【図６】本発明の圧着装置を示す要部斜視図。
【図７】本発明の係止装置を示す要部斜視図。
【図８】本発明の係止体を示す部分正面図。
【図９】本発明の押圧体を示す部分正面図。
【図１０】本発明の角度調整装置を示す要部斜視図。
【図１１】本発明の角度調整クランクの軸止部分を示す要部斜視図。
【符号の説明】
Ｐ  遊戯台            Ｐ１  上端縁
Ｐ２  下端縁
Ｑ  開口窓部          Ｑ１  上部開口縁
Ｑ２  下部開口縁
１  台装着枠体
２  下枠部            ２Ａ  嵌合穴
３  上枠部
４  角度計測器        ４Ａ  針
４Ｂ  目盛
４Ｃ  ミラー
４Ｄ  ウィンドー
１０  高さ調整装置
１１  固定台
１２  高さ調整枠
１３  支持台            １３Ａ  係止凹部
１４  スライド盤
１５  固定突起
１６  コイルスプリング
１７  操作レバー
１８  カム
２０  横幅調整装置
２１  調整軸
２２  横幅調整枠
２３  クランク体        ２３Ａ  連結軸
２３Ｂ  揺動クランク
３０  圧着装置
３１  駆動ボルト
３２  スライド体
３３  連結バー
３４  係止突起
３５  ロック用突起
４０  係止装置
４１  クランク体
４２  スライドバー      ４２Ａ  開口部
４３  係止体            ４３Ａ  止着ピン
４３Ｂ  係止片
４４  引張コイルバネ
４５  押圧体
４６  押圧杆            ４６Ａ  長孔
５０  下部固定装置
５１  駆動ボルト
５２  スライド体
５３  連結バー
５４  係止突起
６０  連動装置
６１  駆動軸
６２  垂直軸            ６２Ａ  シャフト
６３  連結軸
６４  連結軸
６５  べベルギヤ
６６  連結枠
６７  トルクリミッター
７０  角度調整装置
７１  支持脚
７２  角度調整クランク    ７２Ａ  軸止部分
７３  調整ボルト
【図１】
2004329285.tif 000003
【図２】
2004329285.tif 000004
【図３】
2004329285.tif 000005
【図４】
2004329285.tif 000006
【図５】
2004329285.tif 000007
【図６】
2004329285.tif 000008
【図７】
2004329285.tif 000009
【図８】
2004329285.tif 000010
【図９】
2004329285.tif 000011
【図１０】
2004329285.tif 000012
【図１１】
2004329285.tif 000013